(57)【要約】【課題】複雑であったり、狭かったりする体部にも簡単かつ効果的に消毒液を塗布することができる、新たな液剤塗布具を提供せんとする。【解決手段】液剤を含浸してなる液剤含浸部材と、この液剤含浸部材の上面部において、全面積の３０％〜７０％を占める部分を残して、残りの面積部分を覆うように被着された把持部台座部と、この把持部台座部の上面から斜め方向に立設された把持部と、を備えた液剤塗布具を提案する。【選択図】図１
2014094135.tif 000002
【特許請求の範囲】
【請求項１】
液剤を吸収可能な液剤含浸部材と、この液剤含浸部材の上面部において、全面積の３０％〜７０％を占める部分を残して、残りの面積部分を覆うように被着された把持部台座部と、この把持部台座部の該上面から斜め方向に立設された把持部と、を備えた液剤塗布具。
【請求項２】
前記液剤含浸部材の上面部を、左右に２分割したと想定した際、一方の区画を残して、他方の区画の６０％以上の面積を覆うように、把持部台座部が被着されてなる構成を備えた請求項１記載の液剤塗布具。
【請求項３】
前記液剤含浸部材の上面部を、中心部を通る仮想直線で左右２つの区画に分割したと想定した際、一方の区画を残して、他方の区画の６０％以上の面積を覆うように、把持部台座部が被着されてなる構成を備えた請求項１又は２に記載の液剤塗布具。
【請求項４】
前記把持部は、前記仮想直線方向に伸びるように配置されることを特徴とする請求項３に記載の液剤塗布具。
【請求項５】
インサート成形によって製造されてなる請求項１〜４の何れかに記載の液剤塗布具。
【発明の詳細な説明】
【技術分野】
【０００１】
本発明は、消毒薬や化粧液などの液剤を体に塗布するのに用いる液剤塗布具、特に手術において好適に使用することができる液剤塗布具に関する。
【背景技術】
【０００２】
例えば消毒薬などの薬液を患部に塗布する場合、綿棒や綿球などに薬液を含浸させて塗布するのが一般的であった。近年、患者の患部などに、消毒液等の薬液を塗布する医療用用具として、プラスチック等の熱可塑性樹脂材などで形成された把持部の先端に、ウレタン製、ポリエチレン製もしくはセルロース製等のスポンジ体からなる薬液含浸部材を取り付けてなる薬液塗布具が提案されている。このような薬液塗布具は、薬液を含浸したガーゼや綿球、スポンジ等をピンセットで挟んで薬液を塗布する場合に比べて、処置の緊急性に優れ、薬液の塗布作業を簡素に的確に行うことができる。
【０００３】
合成樹脂により構成された把持部にスポンジ体からなる薬液含浸部材を取り付ける手法としては、薬液含浸部材の中心部にスロット状の裂け目を形成するなどし、そこへ把持部の先端部を差し込み、超音波、高周波又は加熱体による熱融着によって薬液含浸部材を把持部に固着する手法が提案されている。
【０００４】
他方、予め薬液を含浸させた綿球や綿棒などを容器などに入れて包装し、これを薬液塗布用キットして提供することも提案されている。
【０００５】
この種の薬液塗布用キットしては、例えば特許文献１には、薬液を含浸させた複数の綿球を、容器に複数形成された収容凹部にそれぞれ挿入し、各収容凹部の開口部をシール部材によって密封してなる構成の薬液塗布用キットが開示されている。
【０００６】
特許文献２には、軸体の端部に塗布液含浸部を設けた塗布液含浸綿棒と、前記塗布液含浸部を収容する凹部、および、この凹部から連続し塗布液含浸部に隣接する軸体を収容する溝部が形成されたカップ部材と、このカップ部材の開口面上に配置して凹部内を密閉する被覆フィルムとを備えた薬液塗布用キットが開示されている。
【０００７】
また、特許文献３には、スポンジ体からなる薬液塗布部及び把持部を有する薬液塗布具と、前記薬液塗布部を収容する薬液塗布部収容凹部、及びこの薬液塗布部収容凹部と連通した、把持部を収容する把持部収容凹部を有する収容容器と、薬液塗布部収容凹部及び把持部収容凹部を被覆し得るシート蓋体と、を備えた薬液塗布用キットであって、薬液塗布部収容凹部内に、薬液塗布部と共に当該薬液塗布部の抱液可能量と同量の薬液を収容し、把持部収容凹部内に把持部を収容し、前記薬液塗布部収容凹部及び把持部収容凹部をシート蓋体で密閉してなる構成を備えた薬液塗布用キットが開示されている。
【先行技術文献】
【特許文献】
【０００８】
【特許文献１】実開昭６２−１７２４４９号公報
【特許文献２】特開２００７−３１９５３５号公報
【特許文献３】特開２０１０−２９５９６号公報
【発明の概要】
【発明が解決しようとする課題】
【０００９】
手術などにおいて消毒液を塗布する場合には、指と指の間や、耳の付け根など、複雑であったり、狭かったりする部分にも消毒液を塗布する必要がある。しかし、従来の薬液塗布具を調べても、このような複雑な形状の部分に簡単かつ効果的に液剤を塗布することができる液剤塗布具は認められなかった。
【００１０】
そこで本発明は、複雑であったり、狭かったりする部分にも簡単かつ効果的に消毒液を塗布することができる、新たな液剤塗布具を提供せんとするものである。
【課題を解決するための手段】
【００１１】
本発明は、液剤を吸収可能な液剤含浸部材と、この液剤含浸部材の上面部において、全面積の３０％〜７０％を占める部分を残して、残りの面積部分を覆うように被着された把持部台座部と、この把持部台座部の上面から斜め方向に立設された把持部と、を備えた液剤塗布具を提案する。
【発明の効果】
【００１２】
本発明が提案する液剤塗布具は、液剤含浸部材の上面部において、把持部台座部が被着される部分が３０〜７０％であり、残りの部分は把持部台座部が被着されておらず、自由に変形することができる。よって、本発明が提案する液剤塗布具は、従来の液剤塗布具に比べて、液剤含浸部材の可動面積が顕著に大きいため、複雑であったり、狭かったりする部分にも簡単かつ効果的に消毒液を塗布することができる。
【図面の簡単な説明】
【００１３】
【図１】本発明の一実施形態に係る液剤塗布具の一例を示した図であり、（Ａ）はその斜視図、（Ｂ）が側面図である。
【図２】本発明の一実施形態に係る液剤塗布具の一例において、液剤含浸部材の上面における把持部台座部の被着状態の一例を示した要部拡大上面図である。
【図３】本発明の一実施形態に係る液剤塗布具の一例において、液剤含浸部材の上面における把持部台座部の被着状態の他例を示した要部拡大上面図である。
【図４】本発明の一実施形態に係る液剤塗布具の一例において、液剤含浸部材の上面における把持部台座部の被着状態のさらなる他例を示した要部拡大上面図である。
【図５】本発明の一実施形態に係る液剤塗布具の一例において、液剤含浸部材の上面における把持部台座部の被着状態のさらなる他例を示した要部拡大上面図である。
【図６】本発明の一実施形態に係る液剤塗布具の一例において、液剤含浸部材の上面における把持部台座部の被着状態の一例を説明するための要部拡大上面図である。
【図７】本発明の一実施形態に係る液剤塗布具の一例において、液剤含浸部材の上面における把持部台座部の被着状態の他例を説明するための要部拡大上面図である。
【図８】把持部台座部の変形例を示した要部拡大上面図である。
【図９】本発明の一実施形態に係る液剤塗布具の一例において、把持部の立設角度を説明するための要部拡大側面図である。
【図１０】把持部が伸びる方向の一例を説明するための要部拡大側面図である。
【図１１】把持部が伸びる方向の他例を説明するための要部拡大側面図である。
【図１２】本発明の一実施形態に係る液剤塗布具の一例において、液剤含浸部材が液剤を吸収した状態の好ましくない一例を示した要部拡大側面図である。
【図１３】本発明の一実施形態に係る液剤塗布具の使用状態の一例を示した側面図である。
【発明を実施するための形態】
【００１４】
以下、本発明の好適な実施形態について説明する。但し、本発明が下記に説明する実施形態に限定されるものではない。
【００１５】
図１に示すように、本発明の一例としての液剤塗布具（「本液剤塗布具」と称する）１は、液剤含浸部材２と、把持部台座部３と、把持部４とを備えている。
【００１６】
（液剤含浸部材２）
液剤含浸部材２は、消毒液や化粧用液などの液剤を吸収することができ、吸収した液剤を保持することができ、圧力によって保持している液剤を放出することができる材料から形成するのが好ましい。
【００１７】
中でも、スポンジ、例えばＯＨ基を有するセルロースを主成分とするスポンジから形成するのが好ましい。親水基であるＯＨ基を有するセルロースを主成分とするスポンジから液剤含浸部材２を形成すれば、液剤、特に水溶液からなる薬液（例えばポビドンヨード液）となじみ易く、薬液を吸収し保持し得る量、すなわち抱液可能量を高めることができる。しかも、薬液を含んだウェット状態になると表面が柔らかくなり、柔らかい感触で塗布することができる。
【００１８】
液剤含浸部材２の形状は任意である。例えば、円板状、角板状、角の丸い角板状などを挙げることができる。
【００１９】
液剤含浸部材２の大きさも任意である。手術などに使用する消毒用としては、１０ｍｍ×１０ｍｍ〜１００ｍｍ×１００ｍｍに納まる程度、特に２０ｍｍ×２０ｍｍ〜４０ｍｍ×４０ｍｍに納まる程度の大きさであるのが好ましい。厚さとしては５ｍｍ〜３０ｍｍ、特に１０ｍｍ〜２０ｍｍ程度であるのが好ましい。
【００２０】
（把持部台座部３）
把持部台座部３は、把持部４を液剤含浸部材２に固着する台座の役割を果たし、通常は、把持部４と一体に形成することができる。
【００２１】
把持部台座部３の形状は、上面部が平面となった板状でも、中心部が若干盛り上がった平山板状であってもよい。把持部台座部３の上面視形状としては、図２に示すような半円状のほか、図３に示すような楕円状、図４に示すような矩形状、図５に示すようなＴ字状、その他、円状、扇状、その他などを例示することができる。中でも、図２に示すように、液剤含浸部材２と同じ平面視形状であって、それよりも一回り小さな平面視形状を直線で半分に割った形状であるのが好ましい。
【００２２】
この把持部台座部３は、図２に示すように、液剤含浸部材２の上面部２ａにおいて、全面積の３０％〜６０％を占める部分（図２の点線領域）を残して、残りの面積部分を覆うように被着されてなる構成を備えるのが好ましい。
把持部台座部３が被着されてない液剤含浸部材２の部分は、図１３に示すように、変形可能であるから、例えば指と指の間であるとか、人体の形状に沿うように変形させて使用することができる。よって、液剤含浸部材２の上面部２ａにおいて、把持部台座部３が被着されてない面積が大きくなれば、変形可能領域を大きくすることができる。しかしその反面、把持部台座部３は液剤含浸部材２を押圧する部分であるため、把持部台座部３が被着された面積が小さくなると、液剤含浸部材２全体を押圧することが困難になってしまう。かかる観点から試験した結果、把持部台座部３は、液剤含浸部材２の上面部２ａの全面積の３０％〜７０％を占める部分を残して、残りの面積部分を覆うように被着するのが好ましく、中でも４０％以上或いは６０％以下、その中でも５０％以上（図では５０％）を占める部分を残して、残りの面積部分を覆うように被着するのがより一層好ましい。
【００２３】
より好ましくは、図６に示すように、液剤含浸部材２の上面部２ａを、その中心部を通る仮想直線Ｘで、左右２つの区画２Ａ、２Ｂに分割したと想定した場合に、一方の区画２Ａを残して、他方の区画２Ｂの面積の６０％以上、特に７０％以上或いは９０％以下の部分を把持部台座部３が覆うように被着するのが好ましい。
【００２４】
但し、図７に示すように、液剤含浸部材２の上面部２ａを、その中心部を通る仮想直線Ｘで、左右２つの区画２Ａ、２Ｂに分割したと想定した場合に、一方の区画２Ａ内の一部を覆うように把持部台座部３が被着されていても、把持部台座部３が、液剤含浸部材２の上面部２ａの全面積の３０％〜７０％を占める部分を残して、残りの面積部分を覆うように被着していれば、前述の効果を得ることができるから、本発明の範囲内である。
【００２５】
図８に示すように、把持部台座部３に適宜間隔をおいて、複数の穴５を設けることも可能である。
この穴５は、貫通穴でもよいし、下端を開口して上方に向かって伸びる非貫通穴であってもよい。
【００２６】
把持部台座部３は、樹脂製、特に熱可塑性樹脂製であれば、その材質は特に限定するものではない。成形性及び価格を考慮すると、ポリプロピレン、ポリエチレン、ポリスチレンなどが好ましい。
【００２７】
（把持部４）
把持部４は、手で握って操作する部分であり、把持部台座部３の上面３ａから斜め方向に立設されていれば、形状及び大きさは任意である。例えば丸棒状、角棒状、軸状その他の形状であってもよい。また、まっすぐに伸びたものであってもよいし、図９に示すように、中間部で角度を変えたものであってもよい。また、図示しないが、湾曲した形状であってもよい。
【００２８】
図９に示すように、把持部台座部３の上面３ａに対して設けられた把持部４の傾斜角度θは任意である。目安としては、傾斜角度θは５〜４０°、特に１０°以上或いは３０°以下を挙げることができる。
【００２９】
把持部４が長さ方向に伸びる方向Ｚ１は、図１０に示すように、上述のように液剤含浸部材２の上面部２ａを左右に２分割するように想定した仮想直線Ｘの方向Ｚ２と同方向、或いは、液剤含浸部材２が半円状を呈する場合の直線縁部の方向Ｚ３と同方向であるのが好ましい。
また、図１１に示すように、仮想直線Ｘの方向Ｚ２と直交する方向、或いは、液剤含浸部材２が半円状を呈する場合の直線縁部の方向Ｚ３と直交する方向であるのも好ましい。
但し、これらの方向に限定するものではない。
【００３０】
把持部４は、樹脂製、特に熱可塑性樹脂製であれば、その材質は特に限定するものではない。成形性及び価格を考慮すると、ポリプロピレン、ポリエチレン、ポリスチレンなどが好ましい。
把持部４と把持部台座部３はこれらの樹脂から一体に形成するのが通常である。但し、別体として形成することも可能である。
【００３１】
（製造方法）
把持部台座部３を、液剤含浸部材２と固着する手段としては、接着剤によって固着してもよいが、把持部台座部３を構成する樹脂を溶融させるなどして、把持部台座部３を構成する樹脂の一部を、液剤含浸部材２の内部空隙、例えばスポンジの空隙孔内に侵入させて冷却固化させて物理的に係合させることにより固着するのが好ましい。具体的には、例えばインサート成形（アウトサート成形を含む）や熱融着などの手段で固着するのが好ましい。
液剤含浸部材２と把持部台座部３とを接着剤によって固着すると、長期保存しているうちに接着剤が薬液に溶解して汚染する可能性があるばかりか、経時的に接着力が低下するため長期保存していると剥がれてしまうおそれがある。これに対して、インサート成形（アウトサート成形を含む）や熱融着の場合には、把持部台座部３を形成する樹脂が液剤含浸部材２の空隙孔内に侵入して物理的に係合するため、接着破壊を生じることもないし、固着力が経時的に低下することもなく、しかも薬液を汚染する心配もない。
【００３２】
より具体的には、インサート品としての液剤含浸部材２を金型内に装填し固定し、把持部台座部３乃至把持部４を形成する溶融樹脂を、該液剤含浸部材２の上面に射出するようにして把持部台座部３乃至把持部４を成形すると共に液剤含浸部材２と固着するようにインサート成形するのが好ましい。
【００３３】
但し、このようにインサート成形する場合、溶融した樹脂が液剤含浸部材２の表面から内部に浸透して固化するため、樹脂が浸透した部分は液剤を吸収して十分に膨張することができないため、図１２に示すように、液剤含浸部材２の塗布面２ｂが平坦にならない可能性がある。
そこで、例えば図８に示すように、把持部台座部３に適宜間隔をおいて複数の穴５を設けることで、この穴５の部分は、溶融樹脂が液剤含浸部材２の表面から内部に浸透することがないため、把持部台座部３が被着した部分であっても、液剤を吸収して十分に膨張することができるため、液剤含浸部材２の塗布面２ｂを平坦にすることができる。
【００３４】
（使用方法）
液剤含浸部材２に液剤を吸収させて、液剤含浸部材２を体表面に当てて、把持部４及び把持部台座部３を介して押圧することにより、体表面に液剤を塗布することができる。
この際、把持部台座部３が被着されてない液剤含浸部材２の部分は、図１３に示すように、変形可能であるから、例えば指と指の間であるとか、人体の形状に沿うように変形させて使用することができる。
【００３５】
（用語の説明）
本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含する。
また、「Ｘ以上」（Ｘは任意の数字）或いは「Ｙ以下」（Ｙは任意の数字）と表現した場合、「Ｘより大きいことが好ましい」或いは「Ｙ未満であるのが好ましい」旨の意図も包含する。
【符号の説明】
【００３６】
１  液剤塗布具
２  液剤含浸部材
３  把持部台座部
４  把持部
５  穴
【図１】
2014094135.tif 000003
【図２】
2014094135.tif 000004
【図３】
2014094135.tif 000005
【図４】
2014094135.tif 000006
【図５】
2014094135.tif 000007
【図６】
2014094135.tif 000008
【図７】
2014094135.tif 000009
【図８】
2014094135.tif 000010
【図９】
2014094135.tif 000011
【図１０】
2014094135.tif 000012
【図１１】
2014094135.tif 000013
【図１２】
2014094135.tif 000014
【図１３】
2014094135.tif 000015